(57)【要約】【課題】  足先と踵を保温する履き心地の良い二分割型足サポーターを提供する。【解決手段】  指先から足の甲と足裏を覆う大きさを有し且つ足の甲側を左右に開口できる重合部となし該重合部の一方の裏面にフック状面ファスナーを縫着してなる足先カバー１０と、踵から足首にかけて覆い足の甲側を重合可能な左右の袖部となし該袖部の一方の裏面にフック状面ファスナーを縫着した踵カバー２０からなる。足先カバー１０と踵カバー２０が遠赤外線を放射する伸縮性のスポンジ布からなり且つ表面全体をパイル状生地として前記面ファスナーと係合する。【選択図】図３
0003131715.tif 000002
【実用新案登録請求の範囲】
【請求項１】
指先から足の甲と足裏を覆う大きさを有し且つ足の甲側を左右に開口できる重合部となし該重合部の一方の裏面にフック状面ファスナーを縫着してなる足先カバーと、踵から足首にかけて覆い足の甲側を重合可能な左右の袖部となし該袖部の一方の裏面にフック状面ファスナーを縫着した踵カバーからなる二分割型足サポーターであって、足先カバーと踵カバーが遠赤外線を放射する伸縮性のスポンジ布からなり且つ表面全体をパイル状生地として前記面ファスナーと係合することを特徴とする二分割型足サポーター。
【請求項２】
足先カバーの先端部内面に、親指と隣接指とを仕切る仕切片を設けたことを特徴とする請求項１に記載の二分割型足サポーター。
【考案の詳細な説明】
【技術分野】
【０００１】  本考案は、足指側と踵側に分割した二分割型足サポーターに関する。
【背景技術】
【０００２】  従来の足サポーターは、マイナスイオンを発生させ足裏のつぼを刺激することのできるように構成したり（例えば特許文献１参照）、生地に保温性を持たせて血行の促進を図り冷えの防止を目的としたもの（例えば特許文献２参照）、更には確実に湿気の逃げを抑えて皮膚の乾燥防止を意図した技術（例えば特許文献３参照）、など多岐にわたる。
【特許文献１】登録実用新案第３１１７０７４号公報
【特許文献２】登録実用新案第３０６８６１４号公報
【特許文献３】特許公開２００４−３３２１２８号公報
【考案の開示】
【考案が解決しようとする課題】
【０００３】  特許文献１に示されたサポーターは、足の指先個所のみ露出し、足首から下を覆うとともに足裏にマイナスイオン発生体を設けて足のつぼを刺激し、つぼに対してマイナスイオンを発生させる構成としたものである。この技術は指先を除く足首から下の全体に装着するものであるが、マイナスイオンを発生させることはできても指先の保温性や踵部分の血行促進機能が発揮されるものではない。【０００４】  特許文献２に示されたサポーターは、内層と外層の二重構造からなることを特徴とし、内層の外側に空気層を配置することにより断熱効果が高められるとするものであり、保温力で身体各部を保温する機能が発揮されるとしている。この技術は単に足に履くだけでなく、身体各部にも着用できることを趣旨としているが、例えば足に限っても指と踵を除く部位を覆うもので、足指と踵の血行促進機能が十分に発揮されるものではない。【０００５】  特許文献３に示されたサポーターは、足指を除き足首から上の部位までを覆い、踵を含む所定部分に非透湿性略シートを配設し、乾燥防止機能を維持して踵部分の皮膚を乾燥から守ることができる機能をうたっているが、足先と踵に保温性を与えるものではない。【０００６】  上記特許文献１〜３のサポーターは、いずれも足指を露出する通常の足サポーターと同様、足裏から踵にかけて一体としている点でほゞ同じ構造であり、足指と踵部分への保温機能が十分に発揮できるものではなく、また足先と踵の一方を選択して保温するには適さないという問題がある。そしていずれも靴下を履く要領で身につけるものであるから、足の大きさに合わないと履きにくくなるという不具合もある。本考案はこのような従来技術とは異なり、足先と踵の双方若しくは一方のいずれにも着用が可能で、然も足の大きさに応じて楽に装着でき、遠赤外線で温めることにより血行を促進して冷えの解消、毛細血管への血流の戻りに著効を発揮する足サポーターを提供することを目的とする。
【課題を解決するための手段】
【０００７】  上記目的を達成するために本考案は、指先から足の甲と足裏を覆う大きさを有し且つ足の甲側を左右に開口できる重合部となし該重合部の一方の裏面にフック状面ファスナーを縫着してなる足先カバーと、踵から足首にかけて覆い足の甲側を重合可能な左右の袖部となし該袖部の一方の裏面にフック状面ファスナーを縫着した踵カバーからなる二分割型足サポーターであって、足先カバーと踵カバーが遠赤外線を放射する伸縮性のスポンジ布からなり且つ表面全体をパイル状生地として前記面ファスナーと係合する構成としたことを特徴としている。【０００８】  足先カバーの先端部内面に、親指と隣接指との間を仕切る仕切片を設けることを特徴とする。
【考案の効果】
【０００９】  足先カバーは、指先から踵を除く足の甲（足裏を含む）をほゞカバーでき、従ってこの部分が遠赤外線を発するスポンジ布によって温められる結果、冷えた足先の血行が促進して活性化する。足先カバーは足の甲側にある重合部の開口を加減でき、そのため足の大きさに応じて締め具合を調節できる。重合部の片方の裏面にはフック状面ファスナーを縫着してあるが、他方の表面はパイル状生地のため重合させるとその部分が雄雌の面ファスナーを合致させるのと同様に密着係合してその状態が維持され、従って両面に雄雌の面ファスナーを設けることを要しない。また履くときと脱ぐときには重合部を十分に開口できるので足の出し入れが容易であり、着装後は足にフィットさせることができて履き心地も良好となる。なお足先カバーに親指の仕切片を設けると下駄の鼻緒のようにその部分が引き締まってより爽快感がもたらされる。【００１０】  踵カバーは、踵の背部から足首にかけてカバーするもので踵部分がスポンジ布による十分な遠赤外線の放射により血行促進が所期される。左右の袖部が足首を包むようにして重合でき、その重合部は一方の袖部に縫着した面ファスナーにより、他方の袖部表面のパイル状生地に密着係合してその状態が維持される。この場合も足首や踵の大きさに応じて袖部の重合状態を調節できるので踵にフィットさせることができる。【００１１】  足先カバーと踵カバーを二分割してあるので当然ながら夫々を別個に着装することができ、例えば何らかの理由で足先若しくは踵の一方のみ着装したい場合に都合が良い。また通常は両方を同時に着装して足先と踵の双方を覆うようにするが、こうすることにより、足の全体に遠赤外線の深達力を及ぼすことができる。体を冷やすことは細胞の活動を弱める方向に作用するが、特定の部位を除き体を温めることは細胞を活性化し、ひいては免疫力の向上にも繋がるものであり、特に高齢者にとって足が丈夫であることは健康を維持する上で欠くべからず要件でもある。逆に足の冷えは体全体に悪影響を及ぼすことも周知のことであり、特に夏場、冷房の効いた部屋で長時間過ごすことは女性の体に変調をきたしやすく、そのようなときに本案サポーターを用いて足を遠赤外線で温めることはこの上ない良策といえる。足は第２の心臓とも言われるところ、本案サポーターを使用して血流の促進、細胞の活性化が図られて健康が増進すればその分医療費の節約にもなるなど計り知れない副次的効果をもたらす。而して本案サポーターのスポンジ布は所定の厚みを有するため、着装したまま運動をするような場合にも好適する。
【考案を実施するための最良の形態】
【００１２】  図面に基づき本考案を説明すると、図１において１０は遠赤外線を放射するスポンジ布からなる足先カバーであり、指先から足の甲と足裏を覆う大きさを有し、踵部分を除く足の前部がほゞすっぽりと覆われる。図では左足が入る形としてあるが、右足用は当然ながら対称形となる。足先カバー１０の表面全体（底面を含む）をパイル状生地１１とし、該パイル状生地１１に、紺、黒、茶色などの彩色されたものを用いることにより消費者が好みの色彩のものを選択できる。【００１３】  足先カバー１０の甲側は、夫々が反転開口できる重合部１２・１３としてある。この重合部１２・１３は、足先カバー１０の先端部近くに切り込みを設けているが、足の履き口１４に向かい双方の重なり具合が大きくなるように傾斜状幅広に形成されている。すなわち重合部１２・１３は左右対称形であり、図では右側の重合部１２が左側の重合部１３に重なる形であるが、この逆としても良く、そして上面側となる片方（図では右側）の重合部１２の裏面に、フック状面ファスナー１５を縫着している。元来面ファスナーは片方がフック状（雄）で他方がパイル状（雌）で両者を合わせることによりその部分の布地が重合密着するものであるが、足先カバー１０全体にパイル状生地１１が存在するため片方に取り付けたフック状面ファスナー１５によって重合部１２・１３が確固として密着合体し、それゆえ足先を履き口１４から挿入し、左右の重合部１２・１３を密着して閉じれば足先カバー１０によって足が覆われる。足の大きさに応じて重合部１２・１３の重なり具合を調節でき、フック状面ファスナー１５はパイル状生地１１のどの個所にも係合されるので、隙間なく足先カバー１０が足にフィットし、むやみに脱出するおそれがない。【００１４】  図２は踵カバー２０を示したもので、踵を覆う主体部２２に連なって左右に袖部２３・２４を形成してあり、袖部２３・２４は足の甲側において重合される。この踵カバー２０も足先カバー１０と同様遠赤外線を放射するスポンジ布で形成し、そのスポンジ布の表面全体をパイル状生地２１としている。【００１５】  袖部２３・２４のいずれが一方（図では右側袖部２３）の裏面にフック状面ファスナー２５を縫着してあり、この面ファスナー２５が他方の袖部２４の表面に重なってパイル状生地２１と係合し、従って双方の袖部２３・２４が合体する。袖部２３・２４の重なり具合を調節することにより踵の大きさや足首の太さ等に応じた締め加減ができるので、踵にフィットして着装される。【００１６】  足先カバー１０と踵カバー２０は同時に着装することによって使用者の足首と踵を確実にガードして足全体に遠赤外線の放射効果を十分に発揮させることができる。足先カバー１０と踵カバー２０は夫々の部位を十分に覆う大きさを有するので、同時に使用するときはいずれかのカバーを他方のカバーの上に被せるようにして着装することで両者は一体的となり隙間を生ずることなくぴったりと重ね合わさる。図３は踵カバー２０の外側に足先カバー１０を被せるようにして取り付けた状態を示しているがこの逆としてもよい。図において２６は足先カバー１０の先端部内面に設けた仕切片であり、親指と隣接指との間を仕切ることで履き心地が一層良好と��る。【００１７】  また足先カバー１０と踵カバー２０は単独で使用できること勿論であり、使用者の好み或いはその時の体調等に応じて選択して使用すればよい。夫々を単独で使用しても着装部位にはスポンジ布の遠赤効果は十分に浸透する。なお足先カバー１０、踵カバー２０のいずれも使用者の体格に応じられるように大小のサイズをあらかじめ用意しておくことで男女年齢にかゝわらず対応でき、足先カバー１０と踵カバー２０は重合部を調節できるためきつすぎたり緩すぎるといった不具合も解消できる。
【図面の簡単な説明】
【００１８】
【図１】本案の足先カバーを示し、（ａ）平面図、（ｂ）重合部の片方を開いた平面図、（ｃ）重合部を閉じた履き口から見た切断端面図である。
【図２】本案の踵カバーを示し、（ａ）平面図、（ｂ）半開口状態斜視図、（ｃ）袖部を開いた平面図である。
【図３】足先カバーと踵カバーの着装状態を示し、（ａ）側面図、（ｂ）上面図である。
【符号の説明】
【００１９】  １０  足先カバー
１１  パイル状生地
１２・１３  重合部
１４  履き口
１５  フック状面ファスナー
２０  踵カバー
２１  パイル状生地
２２  主体部
２３・２４  袖部
２５  フック状面ファスナー
２６  仕切片
【図１】
0003131715.tif 000003
【図２】
0003131715.tif 000004
【図３】
0003131715.tif 000005